(57)【要約】【課題】スリップ式ルアー部を接続する受側液用器具にロック式ルアー部も接続可能にする接続用アダプタを提供する。【解決手段】本発明の接続用アダプタは、受側液用器具の弁体のルアー部挿入側を開閉自在に覆う蓋部材３０と、蓋部材３０に設けられた雄ネジ部６０を有する。この雄ネジ部６０は、接続側液用器具の雌ネジ７２ｃと協働してロック式ルアー部７２ａを蓋部材３０にロックする。【選択図】図５
2013192602.tif 000002
【特許請求の範囲】
【請求項１】
接続側液用器具のロック用接続部を備えたルアー部を受側液用器具の弁体に接続するための接続用アダプタであって、当該アダプタは、前記弁体のルアー部挿入側を開閉自在に覆う蓋部材と、当該蓋部材に設けられて前記ルアー部のロック用接続部と協働するロック用接続受部を有することを特徴とする接続用アダプタ。
【請求項２】
前記蓋部材の外側に前記ルアー部を挿入接続可能な案内筒部を設けるとともに、当該案内筒部の外周に前記ロック用接続受部となる雄ネジ部を設けたことを特徴とする請求項１の接続用アダプタ。
【請求項３】
前記案内筒部の中に可動に設けたスリーブ体を、前記案内筒部に挿入接続したルアー部の先端で押圧することにより、前記弁体を前記スリーブ体で押し開くようにしたことを特徴とする請求項２の接続用アダプタ。
【請求項４】
前記スリーブ体の外周に弾性を有するフランジ部を形成し、当該フランジ部を前記蓋部材と受側液用器具の間に挟み込んで固定するようにしたことを特徴とする請求項３の接続用アダプタ。
【請求項５】
前記スリーブ体の外周に弾性を有するフランジ部を形成し、当該フランジ部に形成した切欠き部に前記蓋部材の下面に形成した係止突起を挿入することで、前記スリーブを前記蓋部材の下面に係止するようにしたことを特徴とする請求項３の接続用アダプタ。
【請求項６】
前記蓋部材の内側に前記案内筒部の延長方向に位置するルアー突部を設け、前記蓋部材を閉じたときに当該ルアー突部が前記弁体に挿入接続するようにしたことを特徴とする請求項２の接続用アダプタ。
【請求項７】
前記蓋部材をヒンジ部を介して前記受側液用器具に取り付けたことを特徴とする請求項１から６のいずれか１の接続用アダプタ。
【請求項８】
前記蓋部材の外周縁に形成した凸部を前記受側液用器具に形成した凹部に着脱自在に係合させたことを特徴とする請求項１から６のいずれか１の接続用アダプタ。
【請求項９】
前記蓋部材と前記受側液用器具を帯片で連結したことを特徴とする請求項１から６のいずれか１の接続用アダプタ。
【請求項１０】
前記蓋部材を、破断分離可能なヒンジ部を介して前記ポートに取り付けたことを特徴とする請求項１から６のいずれか１の接続用アダプタ。
【発明の詳細な説明】
【技術分野】
【０００１】
本発明は、例えば、輸液や薬液が封入される医療用バッグ、医療用ボトル、医療用瓶などの医療用容器や輸液配管等の液用器具に装着する接続用アダプタに係り、特にスリップ式ルアー部を接続する液用器具にロック式ルアー部も接続可能にする接続用アダプタに関する。
【背景技術】
【０００２】
例えば、点滴や人工透析等の医療用の輸液ルートに使用する混注管等に対して、例えばシリンジ等の先端のルアー部を接続する場合、その接続方法としてスリップ式（差込式）とロック式がある。また、輸液用延長管等の端部のルアー部にも、同様にスリップ式とロック式がある。
スリップ式はルアー部を混注管の混注ポート等に設けた弁体に単に差し込むだけの接続方式であって、迅速に接続ができるので緊急医療現場でメリットがあるが、摩擦だけに依存した接続方式のため挿入接続部が外力によって簡単に外れやすいという問題がある。これに対してロック式は、ネジや凹凸係合によってルアー部を混注ポート等に固定する接続方式で、接続操作に若干手間を要するが、摩擦力に加えてメカニカルな接続構造であるため簡単に外れることはない。
【０００３】
このように、シリンジや延長管等のルアー部の接続方式は二方式あるため、当該シリンジや延長管等を接続する対象である混注管等にもスリップ式とロック式が存在する。このことは、混注管以外の、医療用容器や輸液配管に接続される、直管、Ｙ字管、十字コネクタ、スパイク管、ストップコック、ローテータ等でも事情は同じである。以下、混注管等を総称して「受側液用器具」、シリンジや延長管等を総称して「接続側液用器具」と称することとする。
最近ではロック式ルアー部を採用した接続側及び受側液用器具が増加する傾向にあるが、依然としてスリップ式ルアー部を採用した接続側及び受側液用器具も相当数使用されており、両方式が医療現場で混在使用されているのが実情である。
【０００４】
このため、例えばスリップ式ルアー部を接続しようとしたところ相手方混注管等がロック式であったり、この反対にロック式ルアー部を接続しようとしたところ相手方混注管等がスリップ式であったりすることがよく起こり、そのために接続作業が遅れることも少なくなかった。そこで、例えば特許文献１に記載の医療用シリンジのように、混注管等のスリップ式とロック式の両方に対応可能な共用シリンジが提案されている。しかしながら、混注管等の受側液用器具を接続側液用器具のスリップ式とロック式の両方式に対応させたものはまだ実現されていない。
【先行技術文献】
【特許文献】
【０００５】
【特許文献１】特開２００９−２９７５４４号公報
【発明の概要】
【発明が解決しようとする課題】
【０００６】
本発明は、上記事情に鑑みなされたもので、スリップ式受側液用器具にロック式接続側液用器具を接続可能にする接続用アダプタを提供することを目的とする。
【課題を解決するための手段】
【０００７】
請求項１に係る発明は、接続側液用器具のロック用接続部を備えたルアー部を受側液用器具の弁体に接続するための接続用アダプタであって、当該アダプタは、前記弁体のルアー部挿入側を開閉自在に覆う蓋部材と、当該蓋部材に設けられて前記ルアー部のロック用接続部と協働するロック用接続受部を有することを特徴とする接続用アダプタである。
【０００８】
従って、輸液管に取り付けた接続用アダプタの蓋部材を閉じた状態にすれば当該蓋部材を介して接続側液用器具のロック式ルアー部を受側液用器具の弁体に接続することができ、また当該蓋部材を開けば接続側液用器具のスリップ式ルアー部を直接受側液用器具の弁体に接続することができる。
【０００９】
請求項２に係る発明は、請求項１の発明において、前記蓋部材の外側に前記ルアー部を挿入接続可能な案内筒部を設けるとともに、当該案内筒部の外周に前記ロック用接続受部となる雄ネジ部を設けたことを特徴とする。
【００１０】
ロック式ルアー部は、通常、ルアー部の周囲にロック用接続部となる雌ネジ部付き筒部が設けられており、この雌ネジ部を前記雄ネジ部に接続することによりルアー部が案内筒部にロックされる。なお、ロック用接続部は前記のようなネジ接続構造以外もあるので、本発明においてロック用接続受部は雄ネジ部に限定されるものではない。
【００１１】
請求項３に係る発明は、請求項２の発明において、前記案内筒部の中に可動に設けたスリーブ体を、前記案内筒部に挿入接続したルアー部の先端で押圧することにより、前記弁体を前記スリーブ体で押し開くようにしたことを特徴とする。
【００１２】
請求項４に係る発明は、請求項３の発明において、前記スリーブ体の外周に弾性を有するフランジ部を形成し、当該フランジ部を前記蓋部材と受側液用器具の間に挟み込んで固定するようにしたことを特徴とする。これにより、弁体をスリーブ体で押し開いた後に前記フランジ部によってスリーブ体を確実に復動させて弁体を確実に閉じることができる。
【００１３】
請求項５に係る発明は、請求項３の発明において、前記スリーブ体の外周に弾性を有するフランジ部を形成し、当該フランジ部に形成した切欠き部に前記蓋部材の下面に形成した係止突起を挿入することで、前記スリーブ体を前記蓋部材の下面に係止するようにしたことを特徴とする。
【００１４】
これにより、蓋部材を開けてもスリーブ体が蓋部材から簡単に脱落することがない。
【００１５】
請求項６に係る発明は、請求項２の発明において、前記蓋部材の内側に前記案内筒部の延長方向に位置するルアー突部を設け、前記蓋部材を閉じたときに当該ルアー突部が前記弁体に挿入接続するようにしたことを特徴とする。
【００１６】
接続用アダプタを介してロック式ルアー部を接続した場合はこのルアー突部を通して接続側液用器具が受側液用器具と連通する。
【００１７】
請求項７に係る発明は、請求項１から６のいずれか１の発明において、前記蓋部材をヒンジ部を介して前記受側液用器具に取り付けたことを特徴とする。
【００１８】
請求項８に係る発明は、請求項１から６のいずれか１の発明において、前記蓋部材の外周縁に形成した凸部を前記受側液用器具に形成した凹部に着脱自在に係合させたことを特徴とする。
【００１９】
請求項９に係る発明は、請求項１から６のいずれか１の発明において、前記蓋部材と前記受側液用器具を帯片で連結したことを特徴とする。
【００２０】
請求項１０に係る発明は、請求項１から６のいずれか１の発明において、前記蓋部材を、破断分離可能なヒンジ部を介して前記ポートに取り付けたことを特徴とする。
【発明の効果】
【００２１】
本発明の接続用アダプタは、受側液用器具の弁体のルアー部挿入側を、ロック用接続受部を有する蓋部材で開閉自在に覆ったので、ルアー部挿入側を蓋部材なしの状態にすることでスリップ式ルアー部を接続することができ、また弁体のルアー部挿入側を蓋部材で覆うことでロック式ルアー部を接続することができる。このように、スリップとロック式の両ルアー部を接続することができるので、接続側と受側の液用器具の適合不適合を気にすることなく、両者の接続作業を円滑に行うことができる。
【図面の簡単な説明】
【００２２】
【図１】本発明の第１実施形態に係る混注管であって、（ａ）は蓋部材の開蓋状態、（ｂ）は蓋部材の閉蓋状態を示す斜視図である。
【図２Ａ】（ａ）（ｂ）は図１（ａ）（ｂ）に対応した側面図である。
【図２Ｂ】（ａ）（ｂ）は図１（ａ）（ｂ）に対応した断面図である。
【図２Ｃ】（ａ）（ｂ）は図１（ａ）（ｂ）に対応した平面図である。
【図３】図２（ｂ）の混注管のヒンジ部を拡大して示す断面図である。
【図４】蓋部材の嵌合部を示すもので、（ａ）は蓋部材の底面図、（ｂ）は嵌合部の拡大断面図である。
【図５】（ａ）（ｂ）は図２Ａ（ａ）（ｂ）にシリンジを追加した断面図である。
【図６】ヒンジ部を変更した本発明の第２実施形態に係る混注管であって、（ａ）は分離状態の混注ポートと蓋部材の斜視図、（ｂ）は同要部の拡大斜視図である。
【図７】ヒンジ部を変更した本発明の第３実施形態に係る混注管であって、（ａ）は分離状態の混注ポートと蓋部材の斜視図、（ｂ）は同要部の拡大斜視図である。
【図８】ヒンジ部を変更した本発明の第４実施形態に係る混注管であって、（ａ）は蓋部材を結合した状態の混注ポートの斜視図、（ｂ）は蓋部材を分離した状態の混注ポートの斜視図である。
【図９】ヒンジ部を変更した本発明の第５実施形態に係る混注管であって、（ａ）は閉蓋状態の混注ポートの斜視図、（ｂ）は開蓋状態の混注ポートの側面図、（ｃ）はヒンジ部（（ｂ）のｃ部）の拡大断面図である。
【図１０】ヒンジ部を変更した本発明の第６実施形態に係る混注管であって、（ａ）は開蓋状態の混注ポートの平面図、（ｂ）は同側面図、（ｃ）は（ｂ）のｃ部の拡大断面図である。
【図１１】蓋部材の嵌合部の変形例を示すもので、（ａ）は混注ポートの斜視図、（ｂ）は嵌合部の拡大断面図である。
【図１２】蓋部材の取付構造の変形例を示すもので、（ａ）はアダプタと蓋部材の組立状態の斜視図、（ｂ）は同平面図、（ｃ）は同側面図、（ｄ）は（ｃ）のｄ部拡大図である。
【図１３】取手の変形例を示すもので、（ａ）は開蓋状態の蓋部材とアダプタの斜視図、（ｂ）は閉蓋状態の蓋部材とアダプタの斜視図である。
【図１４】取手の変形例を示すもので、（ａ）は開蓋状態の蓋部材とアダプタの斜視図、（ｂ）は閉蓋状態の蓋部材とアダプタの斜視図、（ｃ）は閉蓋状態の蓋部材とアダプタの側面図である。
【図１５】取手の変形例を示すもので、（ａ）は開蓋状態の蓋部材とアダプタの斜視図、（ｂ）は閉蓋状態の蓋部材とアダプタの斜視図ある。
【図１６】蓋部材の変形例を示すもので、（ａ）は混注管の斜視図、（ｂ）は同断面図、（ｃ）は押し込みスリーブの斜視図、（ｄ）は押し込みスリーブを装着した状態の混注管の断面図、（ｅ）はシリンジを接続した状態の混注管の断面図である。
【図１７】押し込みスリーブの変形例を示すもので、（ａ）は混注管の断面図、（ｂ）は押し込みスリーブの斜視図、（ｃ）は（ａ）のＣ部拡大断面図である。
【図１８】ヒンジ部の変形例を示すアダプタと蓋部材の平面図である。
【図１９】ヒンジ部の変形例を示すアダプタと蓋部材の平面図である。
【図２０】ヒンジ部の変形例を示すアダプタと蓋部材の平面図である。
【図２１】（ａ）〜（ｃ）は、アダプタを他の部品に取り付けた変形例を示す斜視図、断面図、平面図である。
【図２２】（ａ）〜（ｃ）は、アダプタを他の部品に取り付けた変形例を示す斜視図、断面図、平面図である。
【図２３】（ａ）〜（ｃ）は、アダプタを他の部品に取り付けた変形例を示す斜視図、断面図、平面図である。
【図２４】（ａ）〜（ｃ）は、アダプタを他の部品に取り付けた変形例を示す斜視図、断面図、平面図である。
【図２５】（ａ）〜（ｃ）は、アダプタを他の部品に取り付けた変形例を示す斜視図、断面図、平面図である。
【図２６】（ａ）〜（ｃ）は、アダプタを他の部品に取り付けた変形例を示す斜視図、断面図、平面図である。
【発明を実施するための形態】
【００２３】
以下、図を参照して本発明の第１〜第６実施形態と変形例を説明する。各実施形態と変形例に亘り、同一の機能を有する部材や構成部品等の構成要素については、判別が可能な限り同一符号を付すことにより一度説明した後ではその説明を省略する。
【００２４】
図１は本発明の第１実施形態に係る混注管１０を示したものである。この混注管１０は点滴や人工透析等に際し、シリンジ等の器具を取り付けて流体（血液や薬液等）の抽出・注入、あるいは各種測定を行う際に使用するものであるが、本発明の混注管の用途は医療用に限定されるものではない。
【００２５】
この混注管１０は直管１０ａを主体とし、この直管１０ａの両端に不図示の接続チューブを受け入れるための受口１０ｂが形成されている。直管１０ａの長さ方向中央の上面に、図２Ｂのように短円筒状の台座１０ｃで構成される混注ポート１２が直管１０ａと一体的に設けられている。この混注ポート１２の台座１０ｃの外周面には、その周方向に滑らかに隆起した環状リブ１０ｄが形成されている。
【００２６】
台座１０ｃの内部には、図２Ｂのように水平な段部１４が形成され、この段部１４に円盤状の弁体１６が着座している。この弁体１６は合成ゴム等の弾性材で構成され、その上面は平面１６ａであるが、下面中央は上向き凸状となる凹面１６ｂとされている。そしてこの凹面１６ｂの中央部分に径方向に延びる１本のスリット１８が形成されている。段部１４の中央には直管１０ａ内に連通する円形開口１０ｅが形成され、直管１０ａの内外は弁体１６で仕切られている。
【００２７】
台座１０ｃの上に、図１及び図２Ａ〜図２Ｃのように短円筒状のアダプタ２０が着脱自在に取り付けられている。このアダプタ２０は、その下部開口が台座１０ｃの環状リブ１０ｄをスムーズに受け入れ可能なように外開き傾斜したテーパ付き開口２０ａとされ、その内周面に前記環状リブ１０ｄが嵌る環状溝２０ｂが形成されている。また、アダプタ２０の上端には短く立ち上がった環状突部２０ｃが形成され、この環状突部２０ｃの外周に後述の蓋部材３０の環状突部３０ｄのリブ３０ｅが係合するようになっている。
アダプタ２０の上端内周には、半径方向内方に延在した環状の鍔部２０ｄが形成され、この鍔部２０ｄの中央に貫通孔２２が形成されている。また、鍔部２０ｄの下面は弁体上面を押える水平面となっている。
【００２８】
アダプタ２０の外周の一部に、図３に拡大して示すように、薄いヒンジ部４０を介して蓋部材３０が連結されている。この蓋部材３０は円形状の蓋本体３０ａと、この蓋本体３０ａの中央上面に突設された案内筒部３０ｂと、ヒンジ部４０の反対側位置で半径方向外方に突設され平板状の取手部５０を有する。アダプタ２０と蓋部材３０は、ヒンジ部４０を含めて樹脂材料により一体的に成形されている。
【００２９】
案内筒部３０ｂはロック式シリンジのルアー部を挿入するためのものであって、案内筒部３０ｂの内周面にシリンジのルアー部に対応したルアーテーパが形成されている。案内筒部３０ｂの外周には、図５（ｂ）のようにロック式シリンジ７２のロック用接続部としての雌ネジ部７２ｃと協働する雄ネジ部６０が形成されている。
【００３０】
案内筒部３０ｂの下端部は、案内筒部３０ｂの延長方向で蓋本体３０ａの下面裏側に突出したルアー突部３０ｃに続いている。このルアー突部３０ｃは、その外周面の最大外径が案内筒部３０ｂの外径とほぼ等しいが、先端はそれよりも細くされて全体として截頭円錐形状を成している。そして蓋部材３０をヒンジ部４０を中心として回動して閉じた時に、ルアー突部３０ｃの先端が図２Ｂ（ｂ）のように弁体１６の中央のスリット１８を押し開いて弁体１６の中央開口に液密に嵌合するようになっている。
【００３１】
蓋部材３０の外周側下面には、図４のように短く立ち上がった環状突部３０ｄが形成され、この環状突部３０ｄの内周に形成されたリブ３０ｅが、アダプタ２０の環状突部２０ｃの外周に形成された環状リブ２０ｅに係合するようになっている。リブ３０ｅは蓋部材３０の全周に設けてもよいが、そうすると環状リブ２０ｅに係合させたり環状リブ２０ｅから外したりするのにやや大きな力を要する。そこで、図４のようにリブ３０ｅをヒンジ部４０側と当該ヒンジ部４０と反対側に所定長さで形成するとよい。このように蓋部材３０の直径方向二箇所で蓋部材３０をリブ３０ｅを介してアダプタ２０に係合させると、蓋部材３０の開閉をスムーズに行え、かつ、蓋部材３０を閉蓋状態に固定するための必要十分な固定力が得られる。
【００３２】
以上のように構成された混注管１０にシリンジを接続する場合、図５（ａ）に示すように、スリップ式シリンジ７０は従来と同じようにルアー部７０ａを弁体に差し込めばよい。
【００３３】
ロック式シリンジ７２は、図５（ｂ）のようにルアー部７２ａの周囲に筒部７２ｂが形成され、この筒部７２ｂの内周面にロック用接続部となる雌ネジ部７２ｃが形成された構造である。このロック式シリンジ７２を混注管１０に接続する場合、まず、混注管１０の蓋部材３０を開蓋させておき、この状態でシリンジ７２のルアー部７２ａを蓋部材３０の案内筒部３０ｂの孔３２に挿入する。それからシリンジ７２を回転させることによりその雌ネジ部７２ｃを蓋部材３０の雄ネジ部６０にねじ込み、その後シリンジ７２と蓋部材３０をヒンジ部４０を中心として一体的に回転させて垂直に起こして図５（ｂ）のように蓋部材３０を閉じる。これにより、蓋部材３０のルアー突部３０ｃが弁体１６を押し開き、ルアー部７２ａを混注管１０に連通する。
【００３４】
ルアー部の長さは同径のシリンジではスリップ式もロック式も同じ長さであることが多いので、蓋部材３０を使用してロック式シリンジ７２を接続する場合はルアー部７２ａが弁体１６まで届かない。このため、この実施形態では蓋部材３０にルアー突部３０ｃを設けている。
【００３５】
なお、図５（ｂ）のルアー突部３０ｃの先端位置を図５（ａ）のルアー部７０ａの先端位置と比べると、図５（ｂ）の方が弁体１６に対して浅く挿入されている。これはルアー突部３０ｃを必要最低限の長さにしてアダプタ２０側の貫通孔２２と干渉させないためである。ルアー突部３０ｃが弁体１６を貫通していれば混注管１０とシリンジ７２は十分連通するので、それ以上ルアー突部３０ｃを長くする必要はない。
なお、図５で各シリンジ７０、７２のプランジャは省略している。
【００３６】
以上、本発明の第１実施形態を説明したが、本発明の混注管１０はヒンジ部４０の形態を色々と変更することができる。図６は第２実施形態に係るもので、蓋部材３０に設けた左右一対のボス３０ｌをアダプタ２０側のブラケット２０ｇのボス孔２０ｈに嵌合して取り付けるようにしたものである。
【００３７】
図７は第３実施形態に係るもので、蓋部材３０に設けた断面Ｕ字状の係合部３０ｆを、アダプタ２０側に設けた軸部２０ｉにスナップ嵌合することにより取り付けるようにしたものである。
【００３８】
図８は第４実施形態に係るもので、蓋部材３０と混注ポート１２とを可撓性の帯片４２によって連結したものである。帯片４２の一方の円環部４２ａを混注管１０の台座１０ｃとアダプタ２０との間にサンドイッチ状に挟み込み、他方の円環部４２ｂを蓋部材３０の外周に嵌めることにより両者を連結する。
【００３９】
図９は第５実施形態に係るもので、蓋部材３０に設けたヒンジ部４０ａ付き突片３０ｇのボス３０ｈを、アダプタ２０側の水平フランジ部２０ｊのボス孔２０ｋに嵌合するようにしたものである。この第５実施形態では蓋部材３０を上下方向だけでなく水平方向にも旋回可能なので、開蓋状態の蓋部材３０の向きを上下左右に自由に変えられる。従って、スリップ式シリンジ７０を混注ポート１２に挿入する際に蓋部材３０を邪魔にならない位置に容易に移動することができる。また、ロック式シリンジ７２を使用する場合にシリンジ７２のルアー部７２ａを挿入しやすい方向に蓋部材３０を容易に向けることができるので接続作業がしやすい。
【００４０】
図１０は第６実施形態に係るもので、蓋部材３０の突片３０ｉに設けたボス３０ｊをアダプタ２０側の水平フランジ部２０ｊに設けたボス孔２０ｋに嵌合することにより蓋部材３０を取り付けるようにしたものである。この実施形態では図１０（ａ）のように蓋部材３０を水平方向に旋回させてアダプタ２０の上方まで移動する。この実施形態は、シリンジのルアー部が標準よりも長いタイプに適合するものであって、蓋部材３０にルアー突部３０ｃを設けずに、シリンジの長めのルアー部を直接弁体１６に挿入接続する。
【００４１】
但し、蓋部材３０を軟質樹脂等で成形することによって蓋部材３０の突片３０ｉに可撓性があれば、蓋部材３０にルアー突部３０ｃを設けていても、蓋部材３０をやや持ち上げた状態で旋回することができるから、アダプタ２０と干渉することなく、蓋部材３０をアダプタ２０の上方まで移動することができる。
【００４２】
図１１は、アダプタ２０と蓋部材３０の嵌合部の変形例を示すもので、蓋部材３０のヒンジ部４０と反対側に揺動可能なヒンジ４４ａ付きフラップ４４を設け、このフラップ４４の内側に形成した上向き突部４４ｂを、アダプタ２０側の下向き凹部２０ｌに係合させて蓋部材３０を閉蓋状態にロックする。この変形形は、ヒンジ４４ａ付きフラップ４４を使用しているため蓋部材３０の固定操作が容易であり、しかもフラップ４４の上向き突部４４ｂとアダプタ２０側の下向き凹部２０ｌとの係合により蓋部材３０の固定力が高まる。
【００４３】
図１２は蓋部材３０とアダプタ２０を両者の外周部に形成した複数（図示例は３箇所）の凹凸係合（凸部４６ａと凹部４７ａ）により取り付けるようにしたもので、この場合も蓋部材３０を混注ポート１２から完全に取り外すことができるので、専らスリップ式シリンジを使用する場合は蓋部材３０が邪魔にならず都合がよい。凸部４６ａは、蓋部材３０の外周部３箇所に周方向等間隔で張り出し形成された突片部４６に形成されている。詳しくは、突片部４６の周方向一端側の上面に凸部４６ａが形成され、反対側の上面にストッパ部４６ｂが形成されている。アダプタ２０側には、周方向３箇所に円弧状の係合部４７が設けられている。この係合部４７は断面がＬ字状で、一端に開口部４７ｂを有し、他端に端壁４７ｃを有する。そして係合部４７の奥部の天井面に凹部４７ａが形成されている。
【００４４】
図１２の実施形態では、蓋部材３０をアダプタ２０から外した状態で図５（ｂ）のロック式シリンジ７２のルアー部７２ａに装着する。この装着は、蓋部材３０の雄ネジ部６０をルアー部７２ａの雌ネジ部７２ｃにねじ込むことにより行う。次に、蓋部材３０の３箇所の突片部４６を図１２（ａ）のようにアダプタ２０の環状平面２０ｐに載せる。この時、図５（ｂ）と同様に蓋部材３０のルアー突部３０ｃが弁体１６を押し開くため、混注管１０の内部とシリンジ７２が連通される。そして、この状態で蓋部材３０を矢印方向に回転させると、凸部４６ａが係合部４７の開口部４７ｂから内部に入り、蓋部材３０のストッパ部４６ｂが開口部４７ｂの縁に当接した段階で凸部４６ａが係合部４７の凹部４７ａに嵌る。従って、この状態では蓋部材３０が矢印方向と反対方向に勝手に回転してアダプタ２０から外れることがない。蓋部材３０をアダプタ２０から外す場合は、蓋部材３０を前記矢印方向とは反対方向に回転させればよい。
【００４５】
図１３は蓋部材３０の取手の変形例を示したもので、蓋部材３０の左右両側に取手部５２を一対で設けたものである。蓋部材３０の両側から取手部５２を操作できるので、作業がしやすいという利点がある。
【００４６】
図１４は、蓋部材３０の全周にフランジ状の取手部５４を形成したものである。蓋部材３０の全周の任意の位置で取手部５４に手を掛けて蓋部材３０を開閉操作することができ、また蓋部材３０の周囲に突起が少なくなるので、チューブ類やコード類が引っ掛かるおそれが少ないという利点がある。
【００４７】
図１５は、蓋部材３０から取手を張り出させるのではなく、アダプタ２０側に凹部２０ｎを形成して蓋部材３０の端部３０ｋに手を掛けて開蓋操作を行えるようにしたものである。蓋部材３０の周囲に突起が少なくなるので、チューブ類やコード類が引っ掛かるおそれが少ないという利点がある。
【００４８】
図１６は、蓋部材３０からルアー突部３０ｃを除去し、その代わりにスリーブ体としての押し込みスリーブ３４を別体で配置したものである。図１６（ａ）から（ｂ）のように、蓋部材３０の雄ネジ部６０にロック式シリンジ７４を未接続状態のまま誤って蓋部材３０を閉じた場合に、ルアー突部３０ｃが弁体１６の中央のスリット１８を押し開いて血液等が外部に漏出する事態を防止することができる。
【００４９】
この押し込みスリーブ３４は、図１６（ｃ）のように、短いゴム製スリーブ本体３４ａの外周に薄膜状の円形フランジ部３４ｂを一体形成したものである。そして、図１６（ｄ）のように、押し込みスリーブ３４の上半分を蓋部材３０の案内筒部３０ｂの孔３２に挿入し、フランジ部３４ｂの外周部を、蓋部材３０の下面とアダプタ２０の環状突部２０ｃとの間に挟み込んで固定する。この状態では、スリーブ本体３４ａの面取加工した下端部が弁体１６の上面に軽く当接しているだけであり、弁体１６のスリット１８は閉じたままである。
【００５０】
この図１６（ｄ）の状態から、図１６（ｅ）のように、ロック式シリンジ７４のルアー部７４ａを蓋部材３０の案内筒部３０ｂの孔３２の上端に差し込み、同シリンジ７４を回転させてその雌ネジ部７4ｃを案内筒部３０ｂの雄ネジ部６０に螺合させる。これにより、ルアー部７４ａの先端がスリーブ本体３４ａの上端部と当接し、ルアー部７４ａの孔とスリーブ本体３４ａの孔３４ｃが連通する。
【００５１】
同時に、ルアー部７４ａの押し下げ力でスリーブ本体３４ａがそのフランジ部３４ｂを半径方向に弾性的に引き延ばしつつ下降し、これにより弁体１６のスリット１８が押し開かれ、スリーブ本体３４ａを介してルアー部７４ａが混注管１０に連通する。また、ロック式シリンジ７４を蓋部材３０から取り外すと、図１６（ｄ）のようにスリーブ本体３４ａがフランジ部３４ｂの張力と弁体１６自体の自己復元力により元の位置まで戻り、スリット１８が閉じる。
【００５２】
なお、スリーブ本体３４ａが外側に飛び出さず、かつ弁体１６のスリット１８を越えて混注管１０内に落ち込まないように案内筒部３０ｂの中に段部等を形成すれば、フランジ部３４ｂは必ずしも必要ではない。フランジ部３４ｂを省略する場合、弁体１６自体の自己復元力のみでスリーブ本体３４ａが元の位置に戻るようにする。
【００５３】
図１７は、押し込みスリーブ３４の変形例を示すものである。この変形例は図１７（ａ）〜（ｃ）のようにフランジ部３４ｂをやや肉厚にして円弧状の切欠き部３４ｄを左右一対で形成すると共に、蓋部材３０の下面に、この円弧状の切欠き部３４ｄに対応させて断面Ｌ字状の係止突起３０ｍを左右一対で同じく円弧状に一体形成したものである。その他は図１６の押し込みスリーブ３４と同じである。なお、フランジ部３４ｂをやや肉厚にしたのは係止突起３０ｍが外れ難く、また切欠き部３４ｄが簡単に裂けないようにするためである。
【００５４】
図１６では押し込みスリーブ３４のフランジ部３４ｂの外周部を蓋部材３０の下面とアダプタ２０の環状突部２０ｃとの間に挟み込んで固定したが、これでは蓋部材３０を開けた途端に押し込みスリーブ３４が蓋部材３０から脱落するおそれがある。そこで図１７（ａ）（ｃ）のように、押し込みスリーブ３４のフランジ部３４ｂの円弧状の切欠き部３４ｄに蓋部材３０の断面Ｌ字状の係止突起３０ｍを挿入することで、押し込みスリーブ３４を蓋部材３０の下面に係止するようにした。
【００５５】
なお、図１７ではフランジ部３４ｂをやや肉厚にしたので、フランジ部３４ｂの外周が蓋部材３０の下面とアダプタ２０の環状突部２０ｃとの間に挟み込まれないように図１６よりもやや小径にしている。従って、図１７では図１６（ｅ）のようにシリンジ７４のルアー部７4ａで押し込みスリーブ本体３４ａを押し下げる時も、係止突起３０ｍで押し込みスリーブ３４のフランジ部３４ｂを支持する。
【００５６】
これにより、蓋部材３０を開けても押し込みスリーブ３４が蓋部材３０から簡単に脱落するようなことがない。なお、フランジ部３４ｂは弾力性があるから、蓋部材３０を開けて押し込みスリーブ３４の先端を外向きに軽く引っ張れば円弧状切欠き部３４ｄが広がって係止突起３０ｍが簡単に外れるので、押し込みスリーブ３４を洗浄等する場合でもその取り外しが容易である。なお、押し込みスリーブ３４を取り外す必要がない使用方法の場合、押し込みスリーブ３４を蓋部材３０の下面に接着剤等で固定してもよい。
【００５７】
図１８は蓋部材３０を破断分離可能なミシン目３６ａ付きの板状プラスチックヒンジ３６でアダプタ２０に連結したものである。ミシン目３６ａが入っているので、蓋部材３０が血液等で汚れた場合に、蓋部材３０を簡単にアダプタ２０から切り離して廃棄することができる。
【００５８】
図１９は蓋部材３０をＶ字状の切れ目３８ａ付きの板状プラスチックヒンジ３８でアダプタ２０に連結したものである。ヒンジ３８の幅方向両端に切れ目３８ａが入っているので、この切れ目３８ａから容易に破断分離することができ、蓋部材３０が血液等で汚れた場合に、蓋部材３０を簡単にアダプタ２０から切り離して廃棄することができる。
【００５９】
図２０は、アダプタ２０と蓋部材３０の間のヒンジ部４０をストラップ状ではなく薄肉部４０ａで構成したもので、蓋部材３０が血液等で汚れた場合に、蓋部材３０を強く引っ張ることで薄肉部４０ａを破断してアダプタ２０から切り離すことができる。
【００６０】
図２１（ａ）〜（ｃ）は、アダプタ２０を混注管１０以外の部品に取付け可能とした一例であって、管体２４の端部に連結可能とした。管体２４の端部に環状リブ２４ｄを形成し、この環状リブ２４ｄにアダプタ２０を取り付ける。また管体２４の端部内面に段部２５を形成し、ここに弁体１６を嵌合する。
【００６１】
図２２〜図２６も、アダプタ２０を混注管１０以外の部品に取付け可能とした例であって、図２２はＹ字管２６の端部に取付け可能としたもの、図２３は十字コネクタ２７の端部に取付け可能としたもの、図２４はスパイク管２８の端部に取付け可能としたもの、図２５はストップコック２９の端部に取付け可能としたもの、図２６はローテータ３１の端部に取付け可能としたものである。
【００６２】
以上、本発明の実施形態と変形例について説明したが、本発明は前記実施形態や変形例に限定されることなく、特許請求の範囲に記載した技術的思想の範囲内で種々の変形が可能である。
【符号の説明】
【００６３】
１０  混注管
１２  混注ポート
１６  弁体
１８  スリット
２０  アダプタ
２２  貫通孔
３０  蓋部材
３０ａ      蓋本体
３０ｂ      案内筒部
３０ｃ      ルアー突部
５０  取手部
６０  雄ネジ部
７０  スリップ式シリンジ
７０ａ      ルアー部
７２  ロック式シリンジ
７２ａ      ルアー部
７２ｂ      筒部
７２ｃ      雌ネジ部
【図１】
2013192602.tif 000003
【図２Ａ】
2013192602.tif 000004
【図２Ｂ】
2013192602.tif 000005
【図２Ｃ】
2013192602.tif 000006
【図３】
2013192602.tif 000007
【図４】
2013192602.tif 000008
【図５】
2013192602.tif 000009
【図６】
2013192602.tif 000010
【図７】
2013192602.tif 000011
【図８】
2013192602.tif 000012
【図９】
2013192602.tif 000013
【図１０】
2013192602.tif 000014
【図１１】
2013192602.tif 000015
【図１２】
2013192602.tif 000016
【図１３】
2013192602.tif 000017
【図１４】
2013192602.tif 000018
【図１５】
2013192602.tif 000019
【図１６】
2013192602.tif 000020
【図１７】
2013192602.tif 000021
【図１８】
2013192602.tif 000022
【図１９】
2013192602.tif 000023
【図２０】
2013192602.tif 000024
【図２１】
2013192602.tif 000025
【図２２】
2013192602.tif 000026
【図２３】
2013192602.tif 000027
【図２４】
2013192602.tif 000028
【図２５】
2013192602.tif 000029
【図２６】
2013192602.tif 000030